(57)【要約】      （修正有）【課題】なんら回路処理的手段に頼ることなく、ユーザをして、適切なタイミングでブラシ交換を可能ならしめる電動式歯ブラシの交換部品販売用セットを提供する。【解決手段】所定本数の電池６からなる電源により給電されて動作し、替えブラシ５とのブラシ交換が可能であり、さらに、所定本数の電池６の耐用積算時間と替えブラシ５の耐用積算時間とがほぼ同一とされた電動式歯ブラシに適用される交換部品販売用セット１であって、所定本数の電池６と１本の替えブラシ５とを組として、１組又は２組以上を、一体的に包装してなる。【選択図】図１
0003216771.tif 000002
【実用新案登録請求の範囲】
【請求項１】
所定本数の電池からなる電源により給電されて動作し、替えブラシとのブラシ交換が可能であり、さらに、前記所定本数の電池の耐用積算時間と前記替えブラシの耐用積算時間とがほぼ同一とされた電動式歯ブラシに適用される交換部品販売用セットであって、
前記所定本数の電池と１本の前記替えブラシとを組として、１組又は２組以上を、一体的に包装してなる電動式歯ブラシの交換部品販売用セット。
【請求項２】
前記電池の所定本数が１本である、請求項１に記載の電動式歯ブラシの交換部品販売用セット。
【請求項３】
前記包装されるべき組が１組である、請求項２に記載の電動式歯ブラシの交換部品販売用セット。
【請求項４】
前記組を構成する所定本数の電池と１本の替えブラシとは、外部から肉眼で観察可能に包装されている、請求項１に記載の電動式歯ブラシの交換部品販売用セット。
【請求項５】
前記組を構成する所定本数の電池と１本の替えブラシとは、共通の台紙上に配置されかつ透明なカバーにて覆われている、請求項４に記載の電動式歯ブラシの交換部品販売用セット。
【請求項６】
前記組を構成する所定本数の電池と１本の替えブラシとは、一方を取り出しかつ他方を包装状態のままに残すと言ったように選択的に取り出し可能とされている、請求項５に記載の電動式歯ブラシの交換部品販売用セット。
【請求項７】
電池の交換時期が替えブラシの交換推奨時期でもある旨を意味する表示が付されている、請求項１〜６のいずれか1つに記載の電動式歯ブラシの交換部品販売用セット。
【考案の詳細な説明】
【技術分野】
【０００１】
本考案は、電池を電源とする電動式歯ブラシの交換部品販売用セットに係り、特に、替えブラシを含む交換部品販売用セットに関する。
【背景技術】
【０００２】
電池を電源とする電動式歯ブラシにおいて、ブラシ部の劣化度（毛先が摩耗したり不揃いになったりする度合）は、その使用積算時間に応じて増加する。したがって、この種の電動式歯ブラシにおいては、その使用積算時間が、ブラシ部の劣化度が適正な歯磨き効果を期待できなくなる限界に達するまでの時間（以下、「替えブラシの積算耐用時間」という）に達する前に、ユーザはブラシ部を新しい替えブラシと交換せねばならない。
【０００３】
一方、電池を電源とする電動歯ブラシにおいては、電池の残量（電池の負荷である振動モータを駆動する能力）は、その使用積算時間に応じて減少する。したがって、この種の電動式歯ブラシにおいては、その使用積算時間が、電池の残量が適正な歯磨き効果を期待できなくなる限界に達するまでの時間（以下、「電池の積算耐用時間」という）に達する前に、ユーザは電池を新しい電池と交換せねばならない。
【０００４】
実際にどの程度の期間（例えば、３週間、1ヶ月、等々）が経過すれば、それらの積算耐用時間に達するかは、歯磨きの頻度（例えば、起床時又は就寝前のいずれかのみの１回、起床時及び就寝時の２回、毎食後の３回、等々）及び歯磨き１回当たりの使用時間（３０秒／回、１分／回、等々）により区々であり、実際、ブラシの最適交換時期をユーザ的確に知ることはなかなか容易ではない。
【０００５】
そこで、電池交換以降、振動モータの駆動時間を累積すると共に、累積時間が所定時間に達するのを待って、ブザー等により、ユーザにブラシ部の交換を促すようにしたマイクロコンピュータ内蔵の電動式歯ブラシは従来より知られている（特許文献１参照）。
【０００６】
また、１本もしくは２本以上の替えブラシのみを包装してなる交換部品販売用セットは、従来より知られている（非特許文献１参照）。
【先行技術文献】
【特許文献】
【０００７】
【特許文献１】特開２００７−０３７８８７号公報
【非特許文献】
【０００８】
【非特許文献１】https://page.auctions.yahoo.co.jp/jp/auction/u187572502  PHILIPS フィリップス 電動歯ブラシ ヘッド sonicare ソニッケア 替え 交換
【考案の概要】
【考案が解決しようとする課題】
【０００９】
特許文献１に記載の従来技術のように、電池の使用積算時間を回路処理的に計時する手段を別途設ける場合には、その分だけ、部品点数並びにプログラミング工数等が増加することから製造コストがアップする欠点がある。
【００１０】
この考案は、上述の背景に鑑みてなされたものであり、その目的とするところは、なんら回路処理的手段に頼ることなく、ユーザをして、適切なタイミングでブラシ交換を可能ならしめることにある。
【００１１】
この考案のさらに他の目的並びに作用効果については、明細書の以下の記述を参照することにより、当業者であれば容易に理解されるであろう。
【課題を解決するための手段】
【００１２】
上述の技術的課題は、以下の構成を有する電動式歯ブラシの交換部品販売用セットにより解決するものと考えられる。
【００１３】
すなわち、本考案に係る電動式歯ブラシの交換部品販売用セットは、所定本数の電池からなる電源により給電されて動作し、替えブラシとのブラシ交換が可能であり、さらに、前記所定本数の電池の耐用積算時間と前記替えブラシの耐用積算時間とがほぼ同一とされた電動式歯ブラシに適用されるものであって、前記所定本数の電池と１本の前記替えブラシとを組として、１組又は２組以上を、一体的に包装してなるものである。
【００１４】
ここで、「所定本数」とは、例えば、単三電池１本、単四電池１本、単四電池２本、等々のように、電池の本数は必ずしも１本に限られないことを意味している。さらに、「１組又は２組以上」とあるのは、例えば、１本の単四電池と１本の替えブラシとを組として、これを２組有するような場合を含むことを意図するものである。
【００１５】
このような構成によれば、電動式歯ブラシの新規購入時に新しい電池とブラシ部とを装着しておきさえすれば、その後、使用中に歯ブラシの振動不良等により電池切れ（電池の耐用積算時間経過）に気付いたならば、上述の交換部品販売用セットを購入すれば、電池のみならず、替えブラシも含まれているため、電池のみならず、替えブラシも新品と交換することで、ブラシ部が劣化限界（ブラシ部の耐用積算時間経過）に達したこと意識せずとも、ユーザは常に毛先の正常なブラシを使い続けることが可能となる。したがって、本考案によれば、なんら回路処理的手段に頼ることなく、ユーザをして、適切なタイミングでブラシ交換を可能ならしめることができる。
【００１６】
好ましい実施の態様によれば、前記組を構成する所定本数の電池と１本の替えブラシとは、外部から肉眼で観察可能に包装されている、ものであってもよい。
【００１７】
好ましい実施の態様によれば、前記組を構成する所定本数の電池と１本の替えブラシとは、共通の台紙上に配置されかつ透明なカバーにて覆われている、ものであってもよい。このとき、前記組を構成する所定本数の電池と１本の替えブラシとは、一方を取り出しかつ他方を包装状態のままに残すと言ったように選択的に取り出し可能とされている、ものであってもよい。
【００１８】
好ましい実施の態様によれば、当該交換部品販売用セットには、電池の交換時期が替えブラシの交換推奨時期でもある旨を意味する表示が付されていてもよい。
【考案の効果】
【００１９】
本考案によれば、なんら回路処理的手段に頼ることなく、ユーザをして、適切なタイミングでブラシ交換を可能ならしめることができる。
【図面の簡単な説明】
【００２０】
【図１】図１は、交換部品販売用セットの一例を示す正面図である。
【図２】図２は、交換部品販売用セットの一例を示す側面図である。
【図３】図３は、交換部品販売用セットの一例を示す作用説明図である。
【図４】図４は、積算時間の経過に伴う電池残量及びブラシ劣化度の推移を概念的に示すグラフである。
【考案を実施するための形態】
【００２１】
本考案に係る電動式歯ブラシの交換部品販売用セットは、先に述べたように、所定本数の電池からなる電源により給電されて動作し、替えブラシとのブラシ交換が可能であり、さらに、前記所定本数の電池の耐用積算時間と前記替えブラシの耐用積算時間とがほぼ同一とされた電動式歯ブラシに適用されるものであって、前記所定本数の電池と１本の前記替えブラシとを組として、１組又は２組以上を、一体的に包装してなるものである。ここで、「所定本数」とは、例えば、単三電池１本、単四電池１本、単四電池２本、等々のように、電池の本数は必ずしも１本に限られないことを意味している。さらに、「１組又は２組以上」とあるのは、例えば、１本の単四電池と１本の替えブラシとを組として、これを２組有するような場合を含むことを意図するものである。
【実施例１】
【００２２】
以下に、本考案に係る電動式歯ブラシの交換部品販売用セットの好適な一実施例を添付図面を参照しながら詳細に説明する。
【００２３】
＜構成＞
図１〜図３に示されるように、この実施例に係る交換部品販売用セット１は、スーパーやコンビニ等によく見られる商品陳列用の吊り下げロッドに対応するように構成されている。
【００２４】
すなわち、図示の交換部品販売用セット１は、縦長で略長方形状の厚紙からなる台紙２と、この台紙２の表面側にあって、吊り下げ陳列されたときに上側に位置する透明カバー３と、同様に吊り下げ陳列されたときに下側に位置する透明カバー４と、透明カバー３と台紙２とで形成される空間に収容された１本の替えブラシ５と、透明カバー４と台紙２とで形成される空間に収容された１本の電池６とから構成される。これにより、１本の替えブラシ５と１本の電池６とが組として、一体的に包装されることとなる。上記の透明カバー３、４のそれぞれは、この例にあっては、樹脂製であって、替えブラシ５及び電池６の外形に沿うように曲成（樹脂成形）されたもので、台紙２の表面側に適宜な接着手段にて接着固定される。
【００２５】
図示の替えブラシ５は、柄部５ａと植毛部５ｂとを有し、柄部５ａが下部に、植毛部５ｂが上部に位置するようにし、かつ植毛部５ｂの毛先が表面に向くようにして、配置されている。電池６としては、この例にあっては、１本の単四のアルカリ乾電池が使用されている。このことから明らかなように、この交換部品販売用セット１は、１本のアルカリ乾電池で駆動される電動式歯ブラシに対応するものである。電池の種類はアルカリ乾電池に限らず、通常のマンガン乾電池、リチウム電池等々でも良いことは勿論である。
【００２６】
台紙２の裏面には、図３に示されるように、透明カバー３、４の接着位置に対応するようにして、矩形の切り取り線（例えば、ミシン目）２ｂ、２ｃが加工されており、これらの切り取り線２ｂ，２ｃに沿って台紙２をカットして切り起し片２ｂ'、２ｃ'を形成することで、必要に応じて、替えブラシ５と電池６とのいずれか一方又は双方を選択的に取り出すことができる。なお、図において、２ａは陳列用ロッドに吊り下げるために使用される吊り下げ孔である。また、図示しないが、例えば台紙２の表面には、電池の交換時期が替えブラシの交換推奨時期でもある旨を意味する表示が例えば印刷により付されている。
【００２７】
＜作用＞
今仮に、対象となる電動歯ブラシの購入時に、新しいブラシと電池とが装着されたものと想定する。この電動ブラシにあっては、図４に示されるように、通常の使用状態（例えば、寝起き時及び就寝前の1日２回使用）にあっては、替えブラシ５の積算耐用時間と電池６の積算耐用時間とは、ほぼ同一（例えば、３０分程度）となるように設定されている。すなわち、図示例にあっては、ブラシの劣化度は、太線の実線で示されるように、積算時間の増加と共に増加してゆき、積算時間がある時間（ブラシの耐用積算時間）に達した時点で、所定の値に達して飽和し、以後、歯磨き能力は限界値以下に低下する。一方、電池の残量は、細線の点線で示されるように、積算時間の増加と共に徐々に低下してゆき、積算時間がある時間（電池の耐用積算時間）に達した時点で急激に低下し、以後、振動モータの動作不良により、歯磨き能力は限界値以下に低下する。このとき、ブラシの耐用積算時間と電池の耐用積算時間とはほぼ同一となる。このような設定は、例えば、替えブラシの植毛材質や植毛密度や植毛長さ分布等々を適宜に調整したり、振動モータの回路設計や構造設計等により消費電力を適宜に調整することにより、当業者であれば、容易にで実現することができる。
【００２８】
したがって、例えば１ヶ月程度が経過して、使用中に歯ブラシの振動不良等により電池切れ（電池の耐用積算時間経過）に気付いたならば、上述の交換部品販売用セット１を購入すれば、電池６のみならず、替えブラシ５も含まれていることに加えて、台紙表面には、電池の交換時期が替えブラシの交換推奨時期でもある旨を意味する表示が付されているため、電池のみならず、替えブラシも新品と交換することで、ブラシ部が劣化限界（ブラシ部の耐用積算時間経過）に達したこと意識せずとも、ユーザは常に毛先の正常なブラシを使い続けることが可能となる。したがって、本考案によれば、なんら回路処理的手段に頼ることなく、ユーザをして、適切なタイミングでブラシ交換を可能ならしめることができるのである。
【００２９】
特に、この例にあっては、必要に応じて、替えブラシ５と電池６とのいずれか一方、又は双方を選択的に取り出すことができるようになっているため、途中で、替えブラシ５と電池６とを別々のタイミングで交換したことに起因して、電池切れ時に未だ替えブラシ５が使える状態であるような場合には、替えブラシ５については取り出すことなく包装状態のまま予備品として保管することもできる。
【００３０】
また、この例にあっては、替えブラシ５及び電池６はいずれも外部から透明カバーを介して肉眼で観察可能としたため、ユーザは、それらの双方が含まれていることを見落とすことなく、意識して購入することができる利点もある。
【００３１】
＜その他＞
以上の実施例では、一体的に包装されるべき替えブラシ５と電池４とはそれぞれ１本ずつとしたが、例えば、２本の単四電池にて駆動される電動式歯ブラシであれば、勿論、包装される組みとしては、１本の替えブラシと２本の単四電池となることは言うまでもないことである。
【００３２】
さらに、包装体の構造ついても、台紙２と透明カバー３、４とで囲まれる空間に収容されるものに限らず、替えブラシと電池とを組みにして収容する限り、任意のパッケージ構造を採用することができることは言うまでもないことである。
【産業上の利用可能性】
【００３３】
本考案に係る電動式歯ブラシの交換部品販売用セットは、この種の交換部品の製造販売業に利用することができる。
【符号の説明】
【００３４】
１    交換部品販売用セット
２    台紙
２ａ  吊り下げ孔
２ｂ  切り取り線
２ｃ  切り取り線
２ｂ'  切り起し片
２ｃ'  切り起し片
３    透明カバー
４    透明カバー
５    替えブラシ
５ａ  柄部
５ｂ  植毛部
６    電池
【図１】
0003216771.tif 000003
【図２】
0003216771.tif 000004
【図３】
0003216771.tif 000005
【図４】
0003216771.tif 000006